(57)【要約】【課題】光学素子の光学特性の調整を可能にすることによって、投射画像の色特性のばらつきを低減する画像表示装置を提供すること。【解決手段】照明光の入射角度に対応した光学特性を有する第１ダイクロイックミラー３１ａを移動機構７０によって素子面３ｃをＣＤ方向、すなわち特性変化方向に移動することにより、照明光の入射位置が調整され、位置ずれに対応する差分の特性変動が生じる。そのため、素子面３ｃ内に入射する照明光に対する作用の調整が可能になる。これにより、製品の厚みのばらつきや照明光の入射角度のばらつきによる光学特性への影響を低減することができ、画像表示装置１００の色特性のばらつきを抑えることができる。【選択図】図１
2009175571.tif 000002
【特許請求の範囲】
【請求項１】
光源光を射出する光源と、
前記光源光を均一化するための照明光学系と、
前記照明光学系から射出された照明光を分離する色分離光学系と、
前記色分離光学系によって分離された光束によって照明される各色の光変調装置と、
前記色分離光学系の光路上にシステム光軸に対して所定角度に傾斜して配置され、前記
照明光のうち所定の波長成分を反射し、他の波長成分を透過することによって前記照明光
を分岐するとともに、反射率及び透過率の少なくとも一方が素子面内で特性変化方向に沿
って変化している平板状の光学素子と、
前記光学素子を前記特性変化方向に沿って移動させる調整機構と、
を備える画像表示装置。
【請求項２】
前記所定角度の傾斜方向は、前記光学素子の前記特性変化方向に対応する、請求項１記
載の画像表示装置。
【請求項３】
前記光学素子は、基板に対して一方向に傾斜した厚さの多層膜を有する、請求項１及び
請求項２のいずれか一項記載の画像表示装置。
【請求項４】
前記光学素子は、ガイドに案内された状態でアクチュエータにより前記特性変化方向に
沿って移動する、請求項１から請求項３までのいずれか一項記載の画像表示装置。
【請求項５】
前記光学素子は、ダイクロイックミラーである、請求項１から請求項４までのいずれか
一項記載の画像表示装置。
【請求項６】
光源光を射出する光源と、前記光源光を均一化するための照明光学系と、前記照明光学
系から射出された照明光を分離する色分離光学系と、前記色分離光学系によって分離され
た光束によって照明される各色の光変調装置と、を備える画像表示装置の光学特性の調整
方法であって、
前記色分離光学系の光路上にシステム光軸に対して所定角度に傾斜して配置され、前記
照明光のうち所定の波長成分を反射し、他の波長成分を透過することによって前記照明光
を分岐するとともに、反射率及び透過率の少なくとも一方が素子面内で特性変化方向に沿
って変化している平板状の光学素子を前記特性変化方向に沿って移動させることによって
光学特性を特性変化方向にシフトさせる光学特性の調整方法。
【発明の詳細な説明】
【技術分野】
【０００１】
本発明は、照明光学系によって液晶パネル等を照明し、液晶パネル等の像を投射する画
像表示装置及び光学特性の調整方法に関する。
【背景技術】
【０００２】
画像表示装置において、ダイクロイックミラー等の光学素子は、光線入射角度依存性が
あり、光線入射角度ごとに光学特性（具体的には例えばカットオフ半値波長）が変わる。
そのため、例えば色分離光学系内で光軸に対して傾斜して配置されるダイクロイックミラ
ーの光学特性が面内で変わり、画像表示装置の色特性にばらつきが生じるという問題があ
る。そこで、ダイクロイックミラーの多層膜の左右に特性傾斜をもたせることで、ダイク
ロイック特性を入射角に合わせて変化させ、入射光線の角度依存性を打ち消すものがある
（例えば、特許文献１参照）。また、ダイクロイックミラーの位置に応じて特定方向に傾
斜した厚さムラ又は屈折率ムラを設け、光学特性のずれを防止するものがある（例えば、
特許文献２参照）。また、入射光の入射角度分布に従うように、光学変換膜を基板に対し
て傾斜して形成することにより、一様な反射特性を有する光学フィルタを用いて投射画像
の色ムラの発生を防止するものがある（例えば、特許文献３参照）。また、光源から射出
された光束の所定のスペクトル成分を除去する光学フィルタを光源装置から光変調装置ま
での光路中に所定角度傾斜して配設することにより、投射画像の色ムラを低減するものが
ある（例えば、特許文献４参照）。ここで、カットオフ半値波長とは、透過率が５０％と
なる波長をいう。
【特許文献１】特開平３−２９１６４４号公報
【特許文献２】特開平６−１８８３４号公報
【特許文献３】特開２００４−４５４８２号公報
【特許文献４】特開２００７−６５４９６号公報
【発明の開示】
【発明が解決しようとする課題】
【０００３】
しかしながら、製造上、ダイクロイックミラーの光学特性にはばらつきがあるため、ダ
イクロイックミラーが固定されている特許文献１及び２のダイクロイックミラーは、各製
品の光学特性のばらつきに対して対応できないという問題がある。なお、特許文献３及び
４の光学フィルタは、光路を分岐するものではない。また、特許文献４の光学フィルタは
、移動機構により移動可能であるが光学特性のばらつきの補正を目的とするものではない
。
【０００４】
そこで、本発明は、光学素子の光学特性の調整を可能にすることによって、投射画像の
色特性のばらつきを低減する画像表示装置を提供することを目的とする。
【０００５】
また、本発明は、このような画像表示装置の光学特性を調整する光学特性の調整方法を
提供することを目的とする。
【課題を解決するための手段】
【０００６】
上記課題を解決するために、本発明に係る画像表示装置は、光源光を射出する光源と、
光源光を均一化するための照明光学系と、照明光学系から射出された照明光を分離する色
分離光学系と、色分離光学系によって分離された光束によって照明される各色の光変調装
置と、色分離光学系の光路上にシステム光軸に対して所定角度に傾斜して配置され、照明
光のうち所定の波長成分を反射し、他の波長成分を透過することによって照明光を分岐す
るとともに、反射率及び透過率の少なくとも一方が素子面内で特性変化方向に沿って変化
している平板状の光学素子と、光学素子を特性変化方向に沿って移動させる調整機構と、
を備える。ここで、特性変化方向とは、光学素子の素子面内で光学特性の変化する方向で
ある。また、光学素子は、例えば照明光の入射角度に対応して変化する反射率や透過率を
入射角度に関連する特性変化方向に補正するものである。
【０００７】
上記画像表示装置では、照明光の入射角度に対応した光学特性を有する光学素子が、調
整機構によって素子面の特性変化方向に移動することにより、照明光の入射位置が調整さ
れ、位置ずれに対応する差分の特性変動が生じる。そのため、素子面内に入射する照明光
に対する作用、すなわち補正量の調整が可能になる。これにより、製品の厚みのばらつき
や照明光の入射角度のばらつきによる光学特性への影響を低減することができ、画像表示
装置の色特性のばらつきを抑えることができる。
【０００８】
また、本発明の具体的な態様又は観点では、所定角度の傾斜方向は、光学素子の特性変
化方向に対応する。この場合、素子面の所定角度の傾斜方向が、特性変化方向に対応する
ことにより、照明光のうち所定波長を効率よく透過又は反射させることができる。
【０００９】
また、本発明の別の態様によれば、光学素子は、基板に対して一方向に傾斜した厚さの
多層膜を有する。この場合、簡易に作製可能な多層膜により、照明光の入射角度に応じて
光学特性を変化させることができる。
【００１０】
また、本発明のさらに別の態様によれば、光学素子は、ガイドに案内された状態でアク
チュエータにより特性変化方向に沿って移動する。この場合、照明光の光学素子上の入射
位置をガイド等によって微調整することにより、素子面内に入射する照明光に対する光学
素子の作用の精密な調整が可能になる。
【００１１】
また、本発明のさらに別の態様によれば、光学素子は、ダイクロイックミラーである。
この場合、ダイクロイックミラーの光線入射角度依存性を補正することにより、照明光の
うち所定波長を効率よく透過又は反射させることができる。
【００１２】
また、本発明に係る光学特性の調整方法は、光源光を射出する光源と、光源光を均一化
するための照明光学系と、照明光学系から射出された照明光を分離する色分離光学系と、
色分離光学系によって分離された光束によって照明される各色の光変調装置と、を備える
画像表示装置の光学特性の調整方法であって、色分離光学系の光路上にシステム光軸に対
して所定角度に傾斜して配置され、照明光のうち所定の波長成分を反射し、他の波長成分
を透過することによって照明光を分岐するとともに、反射率及び透過率の少なくとも一方
が素子面内で特性変化方向に沿って変化している平板状の光学素子を特性変化方向に沿っ
て移動させることによって光学特性を特性変化方向にシフトさせる。
【００１３】
上記光学特性の調整方法では、光学素子を素子面の特性変化方向に移動させ、照明光の
入射位置を調整することにより、位置ずれに対応する差分の特性変動を生じさせることが
できる。そのため、素子面内に入射する照明光に対する作用の調整が可能になる。これに
より、製品の厚みのばらつきや照明光の入射角度のばらつきによる光学特性への影響を低
減することができ、画像表示装置の色特性のばらつきを抑えることができる。
【発明を実施するための最良の形態】
【００１４】
以下、図面を参照して、本発明の一実施形態に係る画像表示装置の構造等について説明
する。
【００１５】
図１は、実施形態の画像表示装置の構造を説明するための概念図である。この画像表示
装置１００は、光源１０と、照明光学系２０と、色分離光学系３０と、光変調装置である
液晶ライトバルブ４０ａ、４０ｂ、４０ｃと、クロスダイクロイックプリズム５０と、投
射光学系である投射レンズ６０とを備える。
【００１６】
上記画像表示装置１００において、光源１０は、例えば、高圧水銀ランプ等の像光形成
の必要に足る光量を有する略白色光を発生する光源装置であり、光源光を発生する発光管
１０ａと、発光管１０ａからの光源光を前方に反射する凹面鏡を有するリフレクタ１０ｂ
とを備える。
【００１７】
照明光学系２０は、光源光を平行化する光平行化手段である平行化レンズ２２と、光を
分割して重畳によって均一化するためのインテグレータ光学系を構成する第１及び第２フ
ライアイレンズ２３ａ、２３ｂと、光の偏光方向を揃える偏光変換素子２４と、両フライ
アイレンズ２３ａ、２３ｂを経た光を重畳させる重畳レンズ２５とを備え、略白色の照明
光を形成する。照明光学系２０において、平行化レンズ２２は、光源１０から射出された
照明光の光束方向を略平行に変換する。第１及び第２フライアイレンズ２３ａ、２３ｂは
、それぞれマトリクス状に配置された複数の要素レンズからなり、第１フライアイレンズ
２３ａを構成する要素レンズによって平行化レンズ２２を経た光を分割して個別に集光し
、第２フライアイレンズ２３ｂを構成する要素レンズによって第１フライアイレンズ２３
ａからの分割光束を適当な発散角にして射出させる。偏光変換素子２４は、ＰＢＳ、ミラ
ー、位相差板等を一組の要素とするアレイで形成されており、第１フライアイレンズ２３
ａにより分割された各部分光束の偏光方向を一方向の直線偏光に揃える役割を有する。重
畳レンズ２５は、偏光変換素子２４を経た照明光を全体として適宜収束させて、後段の各
色の光変調装置である液晶ライトバルブ４０ａ、４０ｂ、４０ｃの被照明領域に対する重
畳照明を可能にする。
【００１８】
色分離光学系３０は、第１及び第２ダイクロイックミラー３１ａ、３１ｂと、反射ミラ
ー３２ａ、３２ｂ、３２ｃと、３つのフィールドレンズ３３ａ、３３ｂ、３３ｃとを備え
る。ここで、第１及び第２ダイクロイックミラー３１ａ、３１ｂは、図１に示すように、
照明光学系２０から延びるシステム光軸ＯＡに対して４５度傾斜して配置されている。色
分離光学系３０は、照明光学系２０により均一化された照明光を青（Ｂ）、緑（Ｇ）、及
び赤（Ｒ）の３色に分離するとともに、各色光を後段の液晶ライトバルブ４０ａ、４０ｂ
、４０ｃへ導く。より詳しく説明すると、まず、第１ダイクロイックミラー３１ａは、Ｂ
ＧＲの３色のうちＧ光及びＲ光を透過させＢ光を反射する。また、第２ダイクロイックミ
ラー３１ｂは、ＧＲの２色のうちＧ光を反射しＲ光を透過させる。次に、この色分離光学
系３０において、第１ダイクロイックミラー３１ａで反射されたＢ光は、反射ミラー３２
ａを経て入射角度を調節するためのフィールドレンズ３３ａに入射する。また、第１ダイ
クロイックミラー３１ａで透過し、第２ダイクロイックミラー３１ｂで反射されたＧ光は
、入射角度を調節するためのフィールドレンズ３３ｂに入射する。さらに、第２ダイクロ
イックミラー３１ｂを透過したＲ光は、リレーレンズＬＬ１、ＬＬ２及び反射ミラー３２
ｂ、３２ｃを経て入射角度を調節するためのフィールドレンズ３３ｃに入射する。
【００１９】
液晶ライトバルブ４０ａ、４０ｂ、４０ｃは、入射した照明光の空間的強度分布を変調
する非発光型の光変調装置であり、色分離光学系３０から射出された各色光に対応してそ
れぞれ照明される。第１ダイクロイックミラー３１ａで反射されたＢ光は、フィールドレ
ンズ３３ａ等を介して液晶ライトバルブ４０ａに入射する。第１ダイクロイックミラー３
１ａを透過し、第２ダイクロイックミラー３１ｂで反射されたＧ光は、フィールドレンズ
３３ｂ等を介して液晶ライトバルブ４０ｂに入射する。第１及び第２ダイクロイックミラ
ー３１ａ、３１ｂを透過したＲ光は、フィールドレンズ３３ｃ等を介して液晶ライトバル
ブ４０ｃに入射する。各液晶ライトバルブ４０ａ、４０ｂ、４０ｃは、それぞれに対応す
る各色の像光を形成する。
【００２０】
クロスダイクロイックプリズム５０は、各液晶ライトバルブ４０ａ、４０ｂ、４０ｃか
らの各色の像光を合成する。より詳しく説明すると、クロスダイクロイックプリズム５０
は、４つの直角プリズムを貼り合わせた平面視略正方形状をなし、直角プリズム同士を貼
り合わせた界面には、Ｘ字状に交差する一対の誘電体多層膜５１ａ、５１ｂが形成されて
いる。一方の第１誘電体多層膜５１ａは、Ｂ光を反射し、他方の第２誘電体多層膜５１ｂ
は、Ｒ光を反射する。クロスダイクロイックプリズム５０は、液晶ライトバルブ４０ａか
らのＢ光を誘電体多層膜５１ａで反射して進行方向右側に射出させ、液晶ライトバルブ４
０ｂからのＧ光を誘電体多層膜５１ａ、５１ｂを介して直進・射出させ、液晶ライトバル
ブ４０ｃからのＲ光を誘電体多層膜５１ｂで反射して進行方向左側に射出させる。このよ
うにして、クロスダイクロイックプリズム５０によりＢ光、Ｇ光及びＲ光が合成され、カ
ラー画像による画像光である合成光が形成される。
【００２１】
投射レンズ６０は、投射光学系であり、クロスダイクロイックプリズム５０を経て形成
された合成光による画像光を所望の拡大率で拡大してスクリーン（不図示）上にカラーの
画像を投射する。
【００２２】
以下、図面を参照しつつ、色分離光学系３０を構成する第１ダイクロイックミラー３１
ａ及びその移動機構７０について説明する。図２は、第１ダイクロイックミラー３１ａの
側断面の概念図である。
【００２３】
第１ダイクロイックミラー３１ａは、図１に示すように、照明光学系２０から延びるシ
ステム光軸ＯＡに対して４５度傾斜して配置されている。図２において、第１ダイクロイ
ックミラー３１ａは、基板である透明な平板ガラス３ａの一方の面に誘電体多層膜３ｂが
形成された構成となっている。誘電体多層膜３ｂは、平板ガラス３ａに対して、ＣＤ方向
に一方向に傾斜した厚みで形成されている。誘電体多層膜３ｂの表面は、第１ダイクロイ
ックミラー３１ａの素子面３ｃとなっている。上述の画像表示装置１００において、光源
１０からの照明光が完全な平行光線ではないため、照明光の第１ダイクロイックミラー３
１ａの素子面３ｃへの入射角度α、β、γは、第１ダイクロイックミラー３１ａの位置に
よって異なる。したがって、素子面３ｃには、素子面３ｃ上の位置に応じて入射角が４５
度からずれた照明光が入射する。このため、第１ダイクロイックミラー３１ａの誘電体多
層膜３ｂは、照明光の入射角度α、β、γに対応して異なる厚さに設定されており、光学
特性、例えば透過率特性が変化する構成となっている。つまり、ＣＤ方向は、第１ダイク
ロイックミラー３１ａの光学特性が変化する特性変化方向となっている。具体的に説明す
ると、図１及び図２において、第１ダイクロイックミラー３１ａの左側に入射する光線ａ
の入射角度βは第１ダイクロイックミラー３１ａの中心に入射する光線ｂの入射角度αよ
りも大きくなり誘電体多層膜３ｂの領域ＡＬの厚さが領域ＡＣの厚さよりも薄くなる。一
方、第１ダイクロイックミラー３１ａの右側に入射する光線ｃの入射角度γは入射角度α
よりも小さくなり誘電体多層膜３ｂの領域ＡＲの厚さが領域ＡＣの厚さよりも厚くなる。
なお、特性変化方向とは、第１ダイクロイックミラー３１ａの傾く方向、すなわちシステ
ム光軸ＯＡに対して４５度の傾斜方向に対応する。
【００２４】
図３は、第１ダイクロイックミラー３１ａに入射する照明光の波長とその透過率との関
係を示す図である。また、図４は、第１ダイクロイックミラー３１ａの領域ＡＣにおける
透過率特性の入射角依存性を示す。なお、図３に示す透過率特性ｅ、ｆ、ｇは、素子面３
ｃへの入射角が４５度のときのものであり、それぞれ図１及び図２の光線ａ、ｂ、ｃが入
射する領域ＡＬ、ＡＣ、ＡＲにおける透過率特性に対応する。また、図４に示す透過率特
性ｈ、ｉ、ｊは、領域ＡＣにおいて素子面３ｃへ入射する照明光の入射角度αがそれぞれ
３０度、４５度、６０度のときの透過率特性である。
【００２５】
図４に示すように、領域ＡＣでは入射角度αが大きくなるほど半値波長が短波長側に移
動し、入射角度αが小さくなるほど半値波長が長波長側に移動する。これは他の領域ＡＲ
、ＡＬでも同様である。つまり、入射角度β、γが大きくなるほど半値波長が短波長側に
移動し、入射角度β、γが小さくなるほど半値波長が長波長側に移動する。よって、図３
の関係を利用して、入射角度βが一般的に大きくなる領域ＡＬにおいて入射角度βの増加
を相殺するように膜厚を薄くすることで、透過率特性ｅを透過率特性ｆに見かけ上シフト
させて領域ＡＣの透過率特性と見かけ上一致させることができる。また、入射角度γが一
般的に小さくなる領域ＡＲにおいて入射角度γの減少を相殺するように膜厚を厚くするこ
とで、透過率特性ｇを透過率特性ｆに見かけ上シフトさせて領域ＡＣの透過率特性と見か
け上一致させることができる。このように、第１ダイクロイックミラー３１ａの光学特性
は、照明光の入射角度α、β、γに対応しているため、照明光の入射位置における透過率
が補正され、所定波長を透過又は反射させることができる。
【００２６】
ここで、第１ダイクロイックミラー３１ａの素子面３ｃの光学特性は、第１ダイクロイ
ックミラー３１ａの製品ごとに厚みのばらつきがあり、光学特性の半値波長が全体として
変化する。そのため、以下のように光学特性の調整機構である移動機構７０によってその
ばらつきを調整する。
【００２７】
図５は、移動機構７０を説明する概念図である。図５（Ａ）は、第１ダイクロイックミ
ラー３１ａを移動機構７０に取り付けた状態の正面図であり、図５（Ｂ）は、その側面図
である。移動機構７０は、第１ダイクロイックミラー３１ａの外周を支える外枠７１と、
外枠７１を両側面から支え第１ダイクロイックミラー３１ａをスライド移動可能にする上
下一対のガイド７２と、第１ダイクロイックミラー３１ａをＣＤ方向に移動させるための
アクチュエータ７３と、アクチュエータ７３の動作を外枠７１に伝達する伝達部７４とを
備える。なお、ガイド７２は、外枠７１をはめ込むことにより外枠７１を滑らかに摺動さ
せる溝７２ａを有する。
【００２８】
外枠７１をアクチュエータ７３及び伝達部７４によりガイド７２の溝７２ａに沿ってＣ
Ｄ方向に移動させることで、第１ダイクロイックミラー３１ａの誘電体多層膜３ｂの厚さ
分布がＣＤ方向に沿ってシフトすることを利用して、第１ダイクロイックミラー３１ａの
光学特性を微調整することができる。この微調整は、例えば投射画像を見ながら行う。第
１ダイクロイックミラー３１ａは、移動機構７０によりシステム光軸ＯＡに対して４５度
平面に配置されたままで誘電体多層膜３ｂ（図２参照）の厚みが見かけ上全体的に増減し
光学特性が可変となる。
【００２９】
図６は、第１ダイクロイックミラー３１ａのＣＤ方向の半値波長特性を示す図である。
横軸は、ＣＤ方向における第１ダイクロイックミラー３１ａの中心からの距離、縦軸は、
対応する位置の半値波長を示す。中心からの距離がプラスの方向に増加するにしたがって
半値波長が増加し、マイナスの方向に増加するにしたがって半値波長が減少するリニアな
関係を有する。ここで、実線で示す特性線ｆ０は、設計値の半値波長特性を表し、一点鎖
線で示す特性線ｆ１及び二点鎖線で示す特性線ｆ２は、それぞれの半値波長が設計値より
プラスマイナス２ｎｍずれたときの半値波長特性を表す。例えば、ある第１ダイクロイッ
クミラー３１ａにおいて、半値波長が２ｎｍずれていた場合（特性線ｆ１または特性線ｆ
２）、この第１ダイクロイックミラー３１ａをＣＤ方向に４ｍｍずらせば、その位置に対
応して適切な厚さの誘電体多層膜３ｂを有する第１ダイクロイックミラー３１ａの半値波
長特性（特性線ｆ０）となる。つまり、図５の移動機構７０により第１ダイクロイックミ
ラー３１ａの位置が移動し、半値波長特性が調整される。
【００３０】
以上の説明から明らかなように、本実施形態の画像表示装置１００では、照明光の入射
角度α、β、γに対応した光学特性を有する第１ダイクロイックミラー３１ａを移動機構
７０によって素子面３ｃをＣＤ方向、すなわち特性変化方向に移動することにより、照明
光の入射位置が調整され、例えば図６に示す特性線ｆ１あるいは特性線ｆ２から特性線ｆ
０へと位置ずれに対応する差分の特性変動が生じる。そのため、素子面３ｃ内に入射する
照明光に対する作用の調整が可能になる。これにより、製品の厚みのばらつきによる光学
特性への影響を低減することができ、画像表示装置１００の色特性のばらつきを抑えるこ
とができる。
【００３１】
なお、この発明は、上記の実施形態に限られるものではなく、その要旨を逸脱しない範
囲において種々の態様において実施することが可能であり、例えば次のような変形も可能
である。
【００３２】
以上で説明した画像表示装置１００において、第１ダイクロイックミラー３１ａのみに
移動機構７０を設けたが、第２ダイクロイックミラー３１ｂにも移動機構７０を設けても
よい。この場合にも、図７に示すように、第２ダイクロイックミラー３１ｂは素子面３ｃ
内に沿って移動し光学特性を調整する。また、ダイクロイックミラー以外の光学素子に移
動機構７０を設けてもよい。また、移動機構７０は、複数の光学素子に設けてもよい。
【００３３】
また、上記実施形態では、移動機構７０により、第１ダイクロイックミラー３１ａの製
品ごとの厚みのばらつきによる光学特性の変動を調整したが、照明光の入射角度のばらつ
きによる光学特性の変動の調整もすることができる。この場合にも図６に示すような半値
波長特性の調整方法と同様となる。
【００３４】
また、上記実施形態では、光源１０に用いるランプとして高圧水銀ランプを用いたが、
メタルハライドランプ等を用いてもよい。
【００３５】
また、上記実施形態では、第１ダイクロイックミラー３１ａを照明光学系２０のシステ
ム光軸ＯＡに対して４５度に配置したが、光学素子によって光学特性が最適となる任意の
角度に配置してよい。
【００３６】
また、上記実施形態では、光源１０からの光を複数の部分光束に分割するため、一対の
フライアイレンズ２３ａ、２３ｂを用いていたが、この発明は、このようなフライアイレ
ンズすなわちレンズアレイを用いない画像表示装置にも適用可能である。さらに、フライ
アイレンズ２３ａ、２３ｂをロッドインテグレータに置き換えることもできる。
【００３７】
また、上記実施形態では、光源１０からの光を特定方向の偏光とする偏光変換素子２４
を用いていたが、この発明は、このような偏光変換素子２４を用いない画像表示装置にも
適用可能である。
【００３８】
また、上記実施形態では、透過型の画像表示装置に本発明を適用した場合の例について
説明したが、本発明は、反射型画像表示装置にも適用することが可能である。ここで、「
透過型」とは、液晶パネル等を含む液晶ライトバルブが光を透過するタイプであることを
意味しており、「反射型」とは、液晶ライトバルブが光を反射するタイプであることを意
味している。なお、光変調装置は液晶パネル等に限られず、例えばマイクロミラーを用い
た光変調装置であってもよい。
【００３９】
また、画像表示装置としては、投射面を観察する方向から画像投射を行う前面画像表示
装置と、投射面を観察する方向とは反対側から画像投射を行う背面画像表示装置とがある
が、図１等に示す画像表示装置の構成は、いずれにも適用可能である。
【００４０】
また、上記実施形態では、３つの液晶ライトバルブ４０ａ〜４０ｃを用いた画像表示装
置１００の例のみを挙げたが、本発明は、１つの液晶パネルのみを用いた画像表示装置、
２つの液晶パネルを用いた画像表示装置、或いは、４つ以上の液晶パネルを用いた画像表
示装置にも適用可能である。
【００４１】
また、上記実施形態では、色分離光学系３０や液晶ライトバルブ４０ａ、４０ｂ、４０
ｃ等を用いて各色の光変調を行っているが、これらに代えて、例えば光源１０及び照明光
学系２０によって照明されるカラーホイールと、マイクロミラーの画素によって構成され
カラーホイールの透過光が照射されるデバイスとを組み合わせたものを用いることによっ
て、カラーの光変調及び合成を行うこともできる。
【図面の簡単な説明】
【００４２】
【図１】本発明の一実施形態に係る画像表示装置を説明する図である。
【図２】図１の第１ダイクロイックミラーの側断面の概念図である。
【図３】図１の第１ダイクロイックミラーの透過率特性を示す図である。
【図４】第１ダイクロイックミラーの領域ＡＣにおける透過率特性の入射角依存性を示す図である。
【図５】（Ａ）、（Ｂ）は、移動機構を説明する概念図である。
【図６】第１ダイクロイックミラーの半値波長特性を示す図である。
【図７】図１の画像表示装置の変形例を説明する図である。
【符号の説明】
【００４３】
１０…光源、  ２０…照明光学系、  ３０…色分離光学系、  ３１ａ、３１ｂ…ダイク
ロイックミラー、  ４０ａ、４０ｂ、４０ｃ…液晶ライトバルブ、  ５０…クロスダイク
ロイックプリズム、  ６０…投射レンズ、  ７０…移動機構、  １００…画像表示装置、
ＯＡ…システム光軸
【図１】
2009175571.tif 000003
【図２】
2009175571.tif 000004
【図３】
2009175571.tif 000005
【図４】
2009175571.tif 000006
【図５】
2009175571.tif 000007
【図６】
2009175571.tif 000008
【図７】
2009175571.tif 000009